(57)【要約】筐体とケーブルとの接続部に起因する測定部への機械的、磁気的擾乱をなくした海象観測装置を提供する。【解決手段】上下にボルト８を通す孔が設けられ、四角形の各コーナ位置に垂直に配設された４本の柱部材４１と、これらの柱部材４１を互いに連結する各２本づつの連結部材４２、４３とからなる枠体４４と、前記ケーブルグリップ７の４本の取付足７ａを前記柱部材４１に固定する各４本づつのボルト８及びナット９と、前記筐体５の上部に固設されている取付部５１に前記柱部材４１を固定する各４本づつのボルト８及びナット９から構成されている接続機構４でケーブル３に通したケーブルグリップ７と筐体５を接続する。【選択図】          図１
2006098282.tif 000002
【特許請求の範囲】
【請求項１】
海象観測用の測定器を収納する筐体と、前記筐体を吊設するブイと、前記筐体と前記ブイを接続するケーブルとを備えた海象観測装置において、前記ケーブルを通したケーブルグリップの下端部を取り付けるための取付孔と、前記筐体の上端部を取り付けるための取付孔とを一定距離だけ離して設けるとともに前記ケーブルの先端部を弛ませる空間を形成した枠体と、前記ケーブルグリップの下端部を前記取付孔に固定するボルト及びナットと、前記筐体の上端部を前記取付孔に固定するボルト及びナットからなる筐体とケーブルとの接続構造を備えていることを特徴とする海象観測装置。
【発明の詳細な説明】
【技術分野】
【０００１】
本発明は海象観測船に接続されているブイまたは海面に浮遊させたブイよりケーブルを介して海象観測用の測定器を収納した筐体を吊下する海象観測装置に関する。
【背景技術】
【０００２】
従来、海や湖などにおける潮位や水位、流速、水温、等々の多様な海象の状態を測定するために、図３に示すような海面に浮遊させたブイ２と、錘６を取り付けた海象観測用の測定器を収納した筐体５とを電気的にケーブル３で接続するとともに、前記筐体５の荷重が前記ケーブル３の側面周辺に加わるように前記筐体５と前記ケーブル３とを結合する接続機構４Ａを用い、前記筐体５を一定の水深に吊下して海象を観測する海象観測装置、あるいは、図４に示すような海面上に浮遊させたブイ２を介して海上の船１と錘６を取り付けた海象観測用の測定器を収納した筐体５とをケーブル３で接続するとともに、前記接続機構４Ａを用い、前記筐体５を一定の水深に吊下して海象を観測する海象観測装置が用いられている。通常、前者の海象観測装置ではブイ２を介して測定データの受信が行なわれ、後者の海象観測装置では、船体上で測定データの受信が行われる。
【特許文献１】特開平１１−３２５９７７号公報
【発明の開示】
【発明が解決しようとする課題】
【０００３】
図３、４に示した海象観測装置における海象観測用の測定器を収納する筐体５とケーブル３とを結合する接続機構４Ａとして、図５に示すようなコネクタ１１によりケーブル３と筐体５を接続するとともに、ケーブルグリップ７をボルト１２及びナット１３で筐体５に結合する接続方法が用いられている。しかしながら、ケーブル３に対する衝撃的な索張力やケーブルグリップ７自体の伸びが筐体５とケーブル３との接続部に振動を与え、コネクタ１１の端子部における接触抵抗の変化等を引起し、測定データに影響を及ぼす可能性がある。
【０００４】
本発明は、このような状況に鑑みてなされたものであって、前記筐体５とケーブル３を接続する接続部におけるコネクタ１１の端子部における接触抵抗の変化等の原因となるような振動の発生をなくすことができる海象観測装置を提供することを目的とするものである。
【課題を解決するための手段】
【０００５】
上記の目的を達成するため、本発明の海象観測装置は、海象観測用の測定器を収納する筐体と、前記筐体を吊設するブイと、前記筐体と前記ブイを接続するケーブルとを備えた海象観測装置において、前記ケーブルを通したケーブルグリップの下端部を取り付けるための取付孔と、前記筐体の上端部を取り付けるための取付孔とを一定距離だけ離して設けるとともに前記ケーブルの先端部を弛ませる空間を形成した枠体と、前記ケーブルグリップの下端部を前記取付孔に固定するボルト及びナットと、前記筐体の上端部を前記取付孔に固定するボルト及びナットからなる筐体とケーブルとの接続構造を備えている。
本発明の海象観測装置は、上記のように構成されており、従来の海象観測装置で考えられる海象観測用の測定器を収納する筐体とケーブルとの接続部に加わる衝撃的な索張力やケーブルグリップ自体の伸びに起因する振動が測定データに与える影響を防止することができる。
【発明の効果】
【０００６】
本発明の海象観測装置は、従来の海象観測装置の海象観測用の測定器を収納する筐体とケーブルとの接続部において、予め前記ケーブルを弛ませておくための接続機構を用い、ケーブルに対しての衝撃的な索張力およびケーブルグリップ自体の伸びが及ぼす測定データに対する影響を防止することができる。
【発明を実施するための最良の形態】
【０００７】
本発明の実施例を図面を参照しながら説明する。図１は筐体５とケーブル３との接続に本発明の接続構造を用いた海象観測装置の構成を示す正面図（Ａ）と側面図（B）である。本海象観測装置は、潮位や水位、流速、水温、等々の多様な海象の状態変数を測定する測定器を収納している筐体５と、本筐体５を海中に沈めるために底部に係着された錘６と、本筐体５を海中の一定の深度に沈めるとともに本筐体５内の測定器から測定データを受信する受信装置等を収納するために用いられているブイ２と、本ブイ２と前記筐体５を電気的、機械的に接続保持するためのケーブル３及びコネクタ１１と、前記筐体５と前記ケーブル３の接続部分に海水の動きによって変化する索張力が直接接続部、すなわちコネクタ１１とケーブル３の接続部に加わらないようにするために用いられているケーブルグリップ７及び接続機構４とから構成されている。
【０００８】
前記接続機構４は、図１（Ｂ）に示すように上下にボルト８を通す孔（図示省略）が設けられ、四角形のコーナ位置に垂直に配設された４本の柱部材４１と、これらの柱部材４１を互いに連結する各２本づつの連結部材４２、４３とからなる枠体４４と、前記ケーブルグリップ７の４本の取付足７ａを前記柱部材４１に固定する４本のボルト８及びナット９と、前記筐体５の上部に固設されている取付部５１に前記柱部材４１を固定する４本のボルト８及びナット９から構成されている。
【０００９】
前記枠体４４の形状の大きさは、図２（Ａ）に示すようにケーブルグリップ７に荷重が殆ど懸からないようにしてケーブル３を引き上げた状態で、枠体４４内にケーブル３を充分弛ませる空間が得られ、かつ図２（Ｂ）に示すようにケーブルグリップ７に海中におけると同等な荷重を懸けるようにしてケーブル３を引き上げた状態で、枠体４４内にまだ余分な弛みが残ることができる大きさのものにする。
【００１０】
次に上記海象観測装置の前記接続機構４を前記ケーブルグリップ７及び前記筐体５に接続する手順を図１を参照しながら説明する。ケーブルグリップ７は、ケーブル３をコネクタ１１あるいはブイ２に接続する前に、ケーブル３に通しておく。そしてまず、筐体５の取付部５１と枠体４４とをボルト８及びナット９で結合する。次に筐体５とケーブル３をコネクタ１１で接続する。そして枠体４４内でのケーブル３に必要な弛み部分を形成した後、ケーブルグリップ７の取付足７ａと枠体４４をボルト８及びナット９で結合する。
【００１１】
前記枠体４４内での前記ケーブル３の長さは、ケーブルグリップ７の荷重に対する伸び測定データや事前に荷重試験を行ない得られる測定データを参考にして決められる。例えば、海中での前記ケーブルグリップ７にかかる荷重が８５Ｋｇである場合に、前記ケーブルグリップ７の伸びが約０．５ｍ、前記枠体４４内の空間高さが０．５ｍであるとすると、枠体４４内でのケーブル３の長さを１ｍ以上、すなわち弛み分だけで０．５ｍ以上設けるようにする。このように前記ケーブルグリップ７の伸びに対して十分な余長を設けた構造とすることにより、海中で前記ケーブルグリップ７に荷重が懸かり前記筐体５が０．５ｍ下がってもケーブル３には弛みが残り、前記コネクタ１１の接続部分に前記筐体５等の荷重が直接懸からない。
【００１２】
本発明によれば、前記筐体５に前記枠体４４の下部を前記ボルト８とナット９で取り付けて固定し、前記枠体４４の上部に前記ケーブルグリップ７の取付足７ａを前記ボルト８とナット９で取り付けて固定するように構成されているので、ケーブル３に対する衝撃的な索張力やケーブルグリップ７自体の伸びによる測定データへの影響を防ぐことができる。
【００１３】
なお、本海象観測装置は、前記筐体５内で測定された測定データは前記筐体５内の測定器のメモリに記憶しておき、その都度前記筐体５を引き上げて測定データを取り出すようにしてもよく、又ブイ２内に測定データ受信回路を組み込ませておき、筐体５は沈めたままで、ケーブル３を介して送られてくる測定データをブイ２から取り出すようにしておいてもよい。
【産業上の利用可能性】
【００１４】
本発明は、海象観測船に接続されているブイまたは海面に浮遊させたブイよりケーブルを介して海象観測用の測定器を収納した筐体を吊下する海象観測装置に用いる。
【図面の簡単な説明】
【００１５】
【図１】実施例による海象観測装置の構成を示す正面図（Ａ）と側面図（Ｂ）である。
【図２】実施例による筐体とケーブルの接続部に荷重をかける前（Ａ）と荷重をかけた後（Ｂ）のケーブルの弛みを示す図である。
【図３】ブイより吊下される海象観測装置を示す図である。
【図４】船上よりブイを介して吊下される海象観測装置を示す図である。
【図５】筐体とケーブルとの接続構造例を示す図である。
【符号の説明】
【００１６】
１  船
２  ブイ
３  ケーブル
４  接続機構
４Ａ  接続機構
４１  柱部材
４２  連結部材
４３  連結部材
４４  枠体
５  筐体
５１  取付部
６  錘
７  ケーブルグリップ
７ａ  取付足
８  ボルト
９  ナット
１１  コネクタ
１２  ボルト
１３  ナット
【図１】
2006098282.tif 000003
【図２】
2006098282.tif 000004
【図３】
2006098282.tif 000005
【図４】
2006098282.tif 000006
【図５】
2006098282.tif 000007